【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
スキャナと、上記スキャナと通信する画像通信装置を有し、上記スキャナが読み取った画像を上記画像通信装置が所定の処理を行う第１のモードを有するシステムにおいて、
上記スキャナと上記画像通信装置間で無線により画像通信する通信モードと、上記スキャナと上記画像通信装置間の通信に関する電力を低減する低消費電力モードとを有する無線通信手段と；
上記所定の処理の終了を検出する検出手段と；
上記検出手段による検出に応じて、上記無線通信手段のモードを、上記通信モードから上記低消費電力モードに変更するモード変更手段と；
を有することを特徴とするシステム。
【請求項２】
請求項１において、
上記検出手段は、上記画像通信装置と上記スキャナとの間での画像通信の終了を検出することを特徴とするシステム。
【請求項３】
請求項１において、
上記検出手段は、上記スキャナから上記画像通信装置に送信された画像の印刷終了もしくは上記画像通信装置に接続される通信回線を介した画像の送信の終了を検出することを特徴とするシステム。
【請求項４】
請求項１において、
上記検出手段は、上記スキャナから上記画像通信装置に送信された画像の印刷停止指示もしくは上記画像通信装置に接続される通信回線を介した画像の送信の停止指示を検出することを特徴とするシステム。
【請求項５】
請求項１において、
上記検出手段は、所定の時間帯になったことを検出することを特徴とするシステム。
【請求項６】
請求項１〜５のいずれか１項において、
上記モード変更手段は、上記画像通信装置から上記スキャナへの要求に応じて、モードを変更することを特徴とするシステム。
【請求項７】
請求項１〜５のいずれか１項において、
上記モード変更手段は、上記スキャナから上記画像通信装置への要求に応じて、モードを変更する手段であることを特徴とするシステム。
【請求項８】
請求項１〜７のいずれか１項において、
上記無線通信手段は、上記低消費電力モードに変更してから所定時間が経過すると、電波の送出を停止することを特徴とするシステム。
【請求項９】
請求項１〜７のいずれか１項において、
上記無線通信手段は、初期接続手順を経て無線リンクを確立する手段であり、上記低消費電力モードは、再度無線リンクを確立する際に初期接続手順が不要なモードであることを特徴とするシステム。
【請求項１０】
請求項９において、
上記モード変更手段は、上記低消費電力モードに変更した後に所定時間が経過すると、初期接続手順が必要なモードに変更することを特徴とするシステム。
【請求項１１】
請求項１〜１０のいずれか１項において、
上記無線通信手段は、上記低消費電力モードがキャンセルされ、上記スキャナと上記画像通信装置間で無線リンクを確立する場合には、初期接続手順を経て無線リンクを確立することを特徴とするシステム。
【請求項１２】
スキャナと通信可能であり、上記スキャナが読み取った画像に所定の処理を行う第１のモードを有する画像通信装置において、
上記スキャナと画像通信する通信モードと、上記スキャナとの通信に関する電力を低減する低消費電力モードとを有する通信手段と；
上記所定の処理の終了を検出する検出手段と；
上記検出手段による検出に応じて、上記通信手段のモードを、上記通信モードから上記低消費電力モードに変更するモード変更手段と；
を有することを特徴とする画像通信装置。
【請求項１３】
請求項１２において、
上記検出手段は、上記スキャナとの画像通信の終了を検出することを特徴とする画像通信装置。
【請求項１４】
請求項１２において、
上記検出手段は、上記スキャナから上記画像通信装置に送信された画像の印刷終了もしくは上記画像通信装置に接続される通信回線を介した画像の送信の終了を検出することを特徴とする画像通信装置。
【請求項１５】
請求項１２において、
上記検出手段は、上記スキャナから上記画像通信装置に送信された画像の印刷停止指示もしくは上記画像通信装置に接続される通信回線を介した画像の送信の停止指示を検出することを特徴とする画像通信装置。
【請求項１６】
請求項１２において、
上記検出手段は、所定の時間帯になったことを検出することを特徴とする画像通信装置。
【請求項１７】
請求項１２〜１６のいずれか１項において、
上記モード変更手段は、上記画像通信装置から上記スキャナへの要求に応じて、モードを変更することを特徴とする画像通信装置。
【請求項１８】
請求項１２〜１６のいずれか１項において、
上記モード変更手段は、上記スキャナから上記画像通信装置への要求に応じて、モードを変更する手段であることを特徴とする画像通信装置。
【請求項１９】
請求項１２〜１８のいずれか１項において、
上記通信手段は、上記低消費電力モードに変更してから所定時間が経過すると、電波の送出を停止することを特徴とする画像通信装置。
【請求項２０】
請求項１２〜１９のいずれか１項において、
上記通信手段は、初期接続手順を経て無線リンクを確立する手段であり、上記低消費電力モードは、再度無線リンクを確立する際に初期接続手順が不要なモードであることを特徴とする画像通信装置。
【請求項２１】
請求項２０において、
上記モード変更手段は、上記低消費電力モードに変更した後に所定時間が経過すると、初期接続手順が必要なモードに変更することを特徴とする画像通信装置。
【請求項２２】
請求項１２〜２１のいずれか１項において、
上記通信手段は、上記低消費電力モードがキャンセルされ、上記スキャナと上記画像通信装置間で無線リンクを確立する場合には、初期接続手順を経て無線リンクを確立することを特徴とする画像通信装置。
【請求項２３】
請求項１２〜２２のいずれか１項において、
上記通信手段は、Ｂｌｕｅｔｏｏｔｈ規格に基づいて通信し、上記低消費電力モードは、Ｂｌｕｅｔｏｏｔｈ規格に基づくパークモード、スニフモード、ホールドモードの何れかを含むことを特徴とする画像通信装置。
【請求項２４】
スキャナと、上記スキャナと通信する画像通信装置を有し、上記スキャナが読み取った画像を上記画像通信装置が所定の処理を行う第１のモードを有するシステムの制御方法において、
上記スキャナと上記画像通信装置間で画像通信する通信モードにおいて上記所定の処理の終了を検出する検出工程と；
上記検出工程における検出に応じて、上記スキャナと上記画像通信装置間の通信に関する電力を低減する低消費電力モードに変更するモード変更工程と；
を有することを特徴とするシステムの制御方法。
【請求項２５】
スキャナと通信可能であり、上記スキャナが読み取った画像に所定の処理を行う第１のモードを有する画像通信装置の制御方法において、
上記スキャナと画像通信する通信モードにおいて上記所定の処理の終了を検出する検出工程と；
上記検出工程における検出に応じて、通信部のモードを上記スキャナとの通信に関する電力を低減する低消費電力モードに変更する変更工程と；
を有することを特徴とする画像通信装置の制御方法。
【手続補正２】
【補正対象書類名】明細書
【補正対象項目名】０００１
【補正方法】変更
【補正の内容】
【０００１】
【発明の属する技術分野】
本発明は、スキャナと通信可能な画像通信装置および該画像通信装置を有するシステムおよびそれらの制御方法に関する。
【手続補正３】
【補正対象書類名】明細書
【補正対象項目名】００１０
【補正方法】変更
【補正の内容】
【００１０】
本発明は、通信における消費電力を小さくすることを目的とする。
【手続補正４】
【補正対象書類名】明細書
【補正対象項目名】００１３
【補正方法】変更
【補正の内容】
【００１３】
【課題を解決するための手段】
本発明は、スキャナと、上記スキャナと通信する画像通信装置を有し、上記スキャナが読み取った画像を上記画像通信装置が所定の処理を行う第１のモードを有するシステムにおいて、上記スキャナと上記画像通信装置間で無線により画像通信する通信モードと、上記スキャナと上記画像通信装置間の通信に関する電力を低減する低消費電力モードとを有する無線通信手段と、上記所定の処理の終了を検出する検出手段と、上記検出手段による検出に応じて、上記無線通信手段のモードを、上記通信モードから上記低消費電力モードに変更するモード変更手段とを有することを特徴とするシステムを提供する。
【手続補正５】
【補正対象書類名】明細書
【補正対象項目名】００１４
【補正方法】変更
【補正の内容】
【００１４】
また、スキャナと通信可能であり、上記スキャナが読み取った画像に所定の処理を行う第１のモードを有する画像通信装置において、上記スキャナと画像通信する通信モードと、上記スキャナとの通信に関する電力を低減する低消費電力モードとを有する通信手段と、上記所定の処理の終了を検出する検出手段と、上記検出手段による検出に応じて、上記通信手段のモードを、上記通信モードから上記低消費電力モードに変更するモード変更手段とを有することを特徴とする画像通信装置を提供する。
【手続補正６】
【補正対象書類名】明細書
【補正対象項目名】００１５
【補正方法】変更
【補正の内容】
【００１５】
また、スキャナと、上記スキャナと通信する画像通信装置を有し、上記スキャナが読み取った画像を上記画像通信装置が所定の処理を行う第１のモードを有するシステムの制御方法において、上記スキャナと上記画像通信装置間で画像通信する通信モードにおいて上記所定の処理の終了を検出する検出工程と、上記検出工程における検出に応じて、上記スキャナと上記画像通信装置間の通信に関する電力を低減する低消費電力モードに変更するモード変更工程とを有することを特徴とするシステムの制御方法を提供する。
【手続補正７】
【補正対象書類名】明細書
【補正対象項目名】００１６
【補正方法】変更
【補正の内容】
【００１６】
また、スキャナと通信可能であり、上記スキャナが読み取った画像に所定の処理を行う第１のモードを有する画像通信装置の制御方法において、上記スキャナと画像通信する通信モードにおいて上記所定の処理の終了を検出する検出工程と、上記検出工程における検出に応じて、通信部のモードを上記スキャナとの通信に関する電力を低減する低消費電力モードに変更する変更工程とを有することを特徴とする画像通信装置の制御方法を提供する。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】０６２６
【補正方法】変更
【補正の内容】
【０６２６】
以上説明したように、無線部の消費電力を削減することができる。特に携帯型スキャナなどのバッテリーを無線部で無駄に消費することを防止できる。
【手続補正１７】
【補正対象書類名】明細書
【補正対象項目名】０６２９
【補正方法】変更
【補正の内容】
【０６２９】
また、状態の変化を監視したり、読取や送受信や記録の指示をするだけでオペレータの操作を介さずに、自動的に無線を接続し情報の転送ができるようになったため使い勝手の良くすることができる。
【発明の効果】
以上のように本発明によれば、通信による消費電力を削減することができる。たとえば携帯型スキャナなどのバッテリーを通信部で無駄に消費することを防止できる。